(57)【要約】  光ファイバ伝送路に伝達された信号を分布させるための方法およびシステムが開示されている。一実施形態において、光ファイバ伝達システムは、光信号を伝送するよう動作可能な送信器、および、光信号を受信するよう動作可能な少なくとも１つの受信器を含む。光ファイバスプリッタアセンブリは、送信器に接続されている第１の光ファイバ、および、第１の光ファイバに隣接していて１つ以上の受信器に接続されている１つ以上の第２の光ファイバを含む。第１の光ファイバおよび１つ以上の第２の光ファイバのそれぞれの端子端部は、第１の光ファイバからの光信号を受信し、かつ１つ以上の第２の光ファイバに向かってこの光信号を反射するよう動作可能である凹状の光反射器から、間隔を置いて配置されている。
2009505135.tif 000002
【特許請求の範囲】
【請求項１】
光ファイバ伝達システムであって、
光信号を伝送するよう動作可能な送信器と、
光信号を受信するよう動作可能な少なくとも１つの受信器と、
凹状の光反射器および光ファイバ束を含む光ファイバスプリッタアセンブリであって、前記光ファイバ束が、前記送信器に接続されている第１の光ファイバ、および、前記第１の光ファイバに隣接していて少なくとも１つの受信器に接続されている１つ以上の第２の光ファイバを含む、光ファイバスプリッタアセンブリであって、前記第１の光ファイバおよび前記１つ以上の第２の光ファイバのそれぞれの端子端部が、前記凹状の光反射器から間隔を置いて配置されており、前記凹状の光反射器が、前記第１の光ファイバからの光信号を受信し、かつ前記１つ以上の第２の光ファイバに向かって前記光信号を反射するよう動作可能である、光ファイバスプリッタアセンブリと、
を備える、光ファイバ伝達システム。
【請求項２】
前記凹状の光反射器が焦点距離をさらに含み、前記第１の光ファイバが前記焦点距離に近接して位置決めされている、請求項１に記載のシステム。
【請求項３】
前記光ファイバ束が対称軸を有し、前記第１の光ファイバの前記端子端部が、ほぼ前記対称軸に沿って配置されている、請求項１に記載のシステム。
【請求項４】
前記光ファイバ束が、前記第１の光ファイバおよび前記１つ以上の第２の光ファイバの密集した構成をさらに備える、請求項３に記載のシステム。
【請求項５】
前記１つ以上の第２の光ファイバの前記端子端部のうちの少なくともいくつかが、光信号減衰器をさらに備える、請求項１に記載のシステム。
【請求項６】
前記凹状の光反射器が、第１の光学反射率を有する第１の反射部分と、第２の光学反射率を有する第２の反射部分とを含み、前記第１の光学反射率が前記第２の光学反射率と異なる、請求項１に記載のシステム。
【請求項７】
前記送信器が、変調された光信号を生成するよう動作可能であり、前記受信器が、前記変調された光信号を復調するように構成されている、請求項１に記載のシステム。
【請求項８】
光ファイバ伝送路に伝達された信号を分布させるため方法であって、
凹状の光反射器に隣接して光ファイバ束を位置決めすることであって、前記光ファイバ束が第１の光ファイバおよび少なくとも１つの第２の光ファイバを備えている、光ファイバ束を位置決めすることと、
光信号を前記光ファイバ束の前記第１の光ファイバに伝送することと、
前記光信号を前記凹状の光反射器上に投射することと、
前記光信号を前記凹状の光反射器から反射させ、前記少なくとも１つの第２の光ファイバのうちの少なくとも一部分に反射させることと、
を備える、方法。
【請求項９】
凹状の光反射器に隣接して光ファイバ束を位置決めすることが、前記光ファイバ束の端子端部に対して焦点距離だけ間隔を置いて前記凹状の光反射器を配置することをさらに備える、請求項８に記載の方法。
【請求項１０】
光信号を前記第１の光ファイバに伝送することが、変調された光信号を前記第１の光ファイバに伝達することをさらに備える、請求項８に記載の方法。
【請求項１１】
変調された光信号を前記第１の光ファイバに伝達することが、振幅変調（ＡＭ）波形、周波数変調（ＦＭ）波形、およびデジタルパルス符号変調（ＰＣＭ）波形のうちの１つを伝達することをさらに備える、請求項１０に記載の方法。
【請求項１２】
変調された光信号を前記第１の光ファイバに伝達することが、適切に構成された受信器を使用して前記変調された光信号を復調することをさらに備える、請求項１０に記載の方法。
【請求項１３】
前記光信号を前記凹状の光反射器上に投射することが、第１の反射率を有する第１の反射部分に前記光信号の第１の部分を投射することと、第２の反射率を有する第２の反射部分に前記光信号の第２の部分を投射することとをさらに備え、前記第１の反射率が前記第２の反射率と異なる、請求項８に記載の方法。
【請求項１４】
前記凹状の光反射器から反射された前記光信号を選択的に減衰することをさらに備える、請求項８に記載の方法。
【請求項１５】
前記凹状の光反射器に隣接して光ファイバ束を位置決めすることが、密集したファイバの構成を有する光ファイバ束を前記凹状の光反射器に隣接して位置決めすることをさらに備える、請求項８に記載の方法。
【請求項１６】
航空宇宙ビークルであって、
胴体と、
前記胴体に操作可能に連結されている翼アセンブリおよび尾翼と、
前記胴体、前記翼アセンブリ、および前記尾翼のうちの少なくとも１つに位置決めされている光ファイバ伝達システムであって、前記システムが、
光信号を伝送するよう動作可能な送信器と、
光信号を受信するよう動作可能な少なくとも１つの受信器と、
凹状の光反射器および光ファイバ束を含む光ファイバスプリッタアセンブリであって、前記光ファイバ束が、前記送信器に接続されている第１の光ファイバ、および、前記第１の光ファイバに隣接していて少なくとも１つの受信器に接続されている１つ以上の第２の光ファイバを含む、光ファイバスプリッタアセンブリであって、前記第１の光ファイバおよび前記１つ以上の第２の光ファイバのそれぞれの端子端部が、前記凹状の光反射器から間隔を置いて配置されており、前記凹状の光反射器が、前記第１の光ファイバからの光信号を受信し、かつ前記１つ以上の第２の光ファイバに向かって前記光信号を反射するよう動作可能である、光ファイバスプリッタアセンブリと、
を備える、光ファイバ伝達システムと、
を備える、航空宇宙ビークル。
【請求項１７】
前記光ファイバ束が対称軸を有し、前記第１の光ファイバの前記端子端部が、ほぼ前記対称軸に沿って配置されている、請求項１６に記載の航空宇宙ビークル。
【請求項１８】
前記１つ以上の第２の光ファイバの前記端子端部のうちの少なくともいくつかが、光信号減衰器をさらに備える、請求項１６に記載の航空宇宙ビークル。
【請求項１９】
前記凹状の光反射器が、第１の光学反射率を有する第１の反射部分と、第２の光学反射率を有する第２の反射部分とを含み、前記第１の光学反射率が前記第２の光学反射率と異なる、請求項１６に記載の航空宇宙ビークル。
【請求項２０】
光ファイバスプリッタアセンブリであって、
光反射器と、
送信光ファイバ、および、前記送信光ファイバに隣接している１つ以上の受信光ファイバを含む光ファイバ束であって、前記送信光ファイバおよび前記１つ以上の受信光ファイバのそれぞれの端子端部が、前記送信光ファイバからの伝送された光信号が前記凹状の光反射器から前記１つ以上の受信光ファイバに反射するように、前記光反射器に対してほぼ心合わせされ、かつ動作可能に配置されている、ファイバ束と、
を備える、光ファイバスプリッタアセンブリ。
【請求項２１】
前記受信光ファイバのそれぞれが受信端子端部を含み、前記送信光ファイバが送信端子端部を含み、前記受信端子端部および前記送信端子端部が、ほぼ同一平面上にある、請求項２０に記載のアセンブリ。
【請求項２２】
前記光ファイバ束が対称軸を有し、前記送信光ファイバの前記端子端部が、ほぼ前記対称軸に沿って配置されている、請求項２０に記載のアセンブリ。
【請求項２３】
前記光反射器が凹状の光反射器である、請求項２０に記載のアセンブリ。
【請求項２４】
前記凹状の光反射器が、第１の光学反射率を有する第１の反射部分と、第２の光学反射率を有する第２の反射部分とを含み、前記第１の光学反射率が前記第２の光学反射率と異なる、請求項２０に記載のアセンブリ。
【発明の詳細な説明】
【技術分野】
【０００１】
発明の分野
本発明は、一般に、光ファイバ装置に関し、より詳細には、光ファイバ伝送路に伝達された信号を分割するためのシステムおよび方法に関する。
【背景技術】
【０００２】
発明の背景
光ファイバ伝送路は、この種の線で得ることのできる一般により高い雑音余裕度、より広い信号帯域、およびより低い信号減衰特性のために、多くの場合、電子装置の信号を伝達するのに使用される。光ファイバ伝送路はまた、同等の容量の金属導体よりも、一般により薄くより軽量である。したがって、光ファイバ伝送路は、遠隔通信において、ならびに他の関連した領域で、広く使用されている。
【０００３】
選択された光ファイバシステムにおいて、望ましいことは、光ファイバ出力線のそれぞれに接続された光ファイバ装置によって光ファイバ入力線に伝送された信号が同時にアクセスされることができるように、単一の光ファイバ入力線が複数の光ファイバ出力線に接続されることができるようにすることである。たとえば、スターネットワークトポロジまたはバストポロジを使用するローカルエリアネットワーク（ＬＡＮ）システムでは、光信号が、メインコンピュータから複数のコンピュータノードまで再分割され、かつ伝達されなければならない。したがって、入力信号を複数の出力信号に分割するように構成される光ファイバスプリッタが、出力信号をノードのそれぞれに加えるのに利用可能である。
【０００４】
知られている光ファイバスプリッタにおいて、光ファイバ入力ファイバの端部のまわりに光ファイバ出力線の端部を絡み合わせ、それぞれの端部をともに熱融着して信号混合領域を形成することによって、光ファイバ入力線と複数の光ファイバ出力線との接続が形成される。上述の製造方法は、実装するのに比較的簡潔であるが、一貫した性能を有する光ファイバスプリッタを製作する際に、考慮すべき問題点が発生する可能性がある。たとえば、信号混合領域の長さが、熱融着プロセスの間に発生するファイバの捻回および引張りの量よって決まるので、少なからぬ変形が製造の間にスプリッタにもたらされる可能性があり、このことが、結果としてスクラップ率を高くする可能性があり、したがってスプリッタ１単位あたりの総原価が増大する可能性がある。
【０００５】
したがって、先行技術のシステムの問題点を解決する光ファイバシステムおよび方法に対する要求が存在する。特に、先行技術の光ファイバスプリッタの欠点を回避する光ファイバスプリッタに対する要求が存在する。
【発明の開示】
【課題を解決するための手段】
【０００６】
概要
本発明は、光ファイバ伝送路に伝達された信号を分布させるための方法およびシステムを備える。一態様において、光ファイバ伝達システムが、光信号を伝送するよう動作可能な送信器、および、光信号を受信するよう動作可能な少なくとも１つの受信器を含む。光ファイバスプリッタアセンブリが、送信器に接続されている第１の光ファイバ、および、第１の光ファイバに隣接していて１つ以上の受信器に接続されている１つ以上の第２の光ファイバを含む。第１の光ファイバおよび１つ以上の第２の光ファイバのそれぞれの端子端部が、第１の光ファイバからの光信号を受信し、かつ１つ以上の第２の光ファイバに向
かってこの光信号を反射するよう動作可能である凹状の光反射器から、間隔を置いて配置されている。
【０００７】
本発明の実施形態を、以下の図面を参照しつつ、以下に詳細に説明する。
【発明を実施するための最良の形態】
【０００８】
詳細な説明
本発明は、光ファイバ伝送路に伝達された信号を分布させるためのシステムおよび方法に関する。本発明のいくつかの実施形態についての多くの具体的な詳細が、以下の記載において、および図１から図６において、このような実施形態を完全に理解するために説明されている。しかし、当業者であれば、本発明がさらなる実施形態を有してもよいことや、または、本発明が以下の記載において記載されている１つ以上の詳細なしで実施されてもよいことを、理解するであろう。
【０００９】
図１は、本発明の一実施形態による、光ファイバ伝達システム１０の部分等角図である。システム１０は、中央に配置された送信ファイバ１４と、送信ファイバ１４の近接に位置決めされている１つ以上の受信ファイバ１６とを含む光ファイバ束１３を有する、光ファイバスプリッタアセンブリ１２を含む。送信ファイバ１４および１つ以上の受信ファイバ１６は、シリカガラスのコア材を有する光ファイバを含んでもよく、または、これらは、高分子コア材または他のいかなる適した材料から形成される光ファイバを含んでもよい。いずれにせよ、送信ファイバ１４および１つ以上の受信ファイバ１６は、ファイバの内部の反射率を促進し、光ファイバ束１３内の「クロストーク」効果を最小限に抑えるために、適切にクラッド（ｃｌａｄｄｅｄ）されてもよい。
【００１０】
光ファイバスプリッタアセンブリ１２はまた、送信ファイバ１４および１つ以上の受信ファイバ１６のそれぞれの端子端部から所定の距離ｆだけ間隔を置いて配置されている凹状の光反射器１８を含む。この距離ｆは反射器１８の焦点距離としてもよい。反射器１８は、送信ファイバ１４の軸に沿って延びる光軸２０に沿って、全体的に位置決めされる。具体的な一実施形態において、光軸２０が光ファイバ束１３の対称軸となっている。
【００１１】
システム１０は、送信ファイバ１４に動作可能に接続される送信器２２をさらに含む。送信器２２は、入力信号を受信し、この入力信号を変調して出力信号を生成するように構成されてもよく、この出力信号には、たとえば、振幅変調（ＡＭ）波形、周波数変調（ＦＭ）波形、またはデジタルパルス符号変調（ＰＣＭ）信号が含まれる。送信器２２は、送信ファイバ１４に出力するための被変調信号から光信号を生成するよう動作可能な発光源をさらに含む。したがって、発光源は、発光ダイオード（ＬＥＤ）を含んでもよい。適したＬＥＤは、たとえば、選択されるＬＥＤの材料組成によって、約８５０ナノメートル（ｎｍ）、１３１０ｎｍ、および１５５０ｎｍの波長で光出力信号を生成するこれらのＬＥＤを含んでもよい。あるいは、発光源は、選択される特定のレーザダイオードの構成によって、約１３１０ｎｍ、１５５０ｎｍ、および１６２５ｎｍの波長で光出力信号を一般的に生成するレーザダイオードを含んでもよい。光信号を生成するのに使用され得るさらに他の適した発光源が、利用可能である。さらに、可視域スペクトルの他の部分で放射する発光源の適した代替の実施形態が利用可能であり、これは、広帯域または単色の光信号を加えることのできるものである。
【００１２】
システム１０はまた、受信ファイバ１６に動作可能に接続される１つ以上の受信器２４を含む。受信器２４は、送信器２２から受信された光信号を検出し、かつこの光信号を復調するように動作可能である。他の適した光検出装置が存在するが、光信号は、たとえばｐ型−真性−ｎ型（ＰＩＮ）ダイオードまたはアバランシェフォトダイオードなどの光学素子を使用して検出されてもよい。ついで、この復調された光信号は、適した出力信号に
変換されてもよい。システム１０についての上述の記載は、情報内容を有する光信号を送受信するよう動作可能である送信器２２および受信器２４を含むが、他の構成が可能である。たとえば、具体的な一実施形態において、送信器２２によって生成された光信号は、所望の強度で選択要素に光エネルギを加えるよう動作可能な、変調されていない信号である。ついで、対応する受信器２４が、選択要素に位置決めされることができ、光エネルギを分布して所望の照射レベルを選択要素に加えることができる。たとえば、送信器２２は、ＬＥＤ、レーザダイオード、または他の適した素子などの発光源を含んでもよい一方、受信器２４は、光拡散器、レンズ、または他の適した光分布素子を含む。したがって、光エネルギを発光源から転送し、かつ、計器板、床面の照射システムまたは他の同様の照射システムに光エネルギを分布するために、システム１０が使用されてもよい。
【００１３】
図１をさらに参照し、システム１０の動作について次に説明する。変調された光エネルギまたは変調されていない光エネルギが、送信器２２によって生成され、送信ファイバ１４に伝達される。この光エネルギは、送信された光信号（たとえばパルス、ビームなど）２６を、送信ファイバ１４の端子端部から投射し、凹状の光反射器１８に投射する。凹状の光反射器１８が、送信された光信号２６を反射するので、反射された光信号２８の一群（ｆａｍｉｌｙ）が受信ファイバ１６に向けられる。ついで、反射された光信号２８が、受信ファイバ１６に沿って受信器２４まで伝達される。反射された光信号２８の一群は、受信ファイバ１６を一様に照射することができるので、受信ファイバ１６のそれぞれが、凹状の光反射器１８によって反射された光エネルギのほぼ等しい部分を受信することができる。特定の一実施形態において、光反射器１８が、ほぼ均一であり、ほぼ平行な反射信号２８を加えるために適合される。
【００１４】
図２は、光ファイバスプリッタアセンブリ１２の光ファイバ束１３の、図１の軸２−２に沿って見た平面図である。送信ファイバ１４および受信ファイバ１６は、アセンブリ１２のそれぞれの光ファイバ１４および１６が光ファイバの比較的高密度アレイを形成するように、６角形の密集した構成で配置されてもよい。あるいは、送信ファイバ１４および受信ファイバ１６は、たとえば矩形の密集したアレイなどの他の配置、または他のいかなる所望の配置で構成されてもよい。光ファイバ１４および１６の面部分３０は、反射器１８を用いて、送信ファイバ１４から受信ファイバ１６への光エネルギの転送を強化するように、適切に処理されてもよい。たとえば、面部分３０は、光の屈折または他の光学収差によって受ける損失を最小限に抑えるように、光学的に研磨されてもよい。
【００１５】
図３は、本発明の別の実施形態による光ファイバスプリッタアセンブリ４０の部分等角図である。アセンブリ４０は、外側に、かつ凹状の光反射器１８（図１に示す）に向かって光エネルギを投射する、中央に配置された送信ファイバ１４を含む、光ファイバ束４１を含む。１つ以上の受信ファイバが、送信ファイバ１４に近接して位置決めされており、この送信ファイバは、前述のような受信ファイバ１６を含んでいてもよい。束４１内の他の受信ファイバは、所望の光信号の減衰度を提供するように構成されることができる。たとえば、第１の受信ファイバ４２が、第１の光信号減衰器４３で構成される一方、第２の受信ファイバ４４が、第１の光信号減衰器４３よりも大きな信号減衰を提供する第２の光信号減衰器４５で構成される。さらに、第３の受信ファイバ４６が、第１の光信号減衰器４３および第２の光信号減衰器４５よりもさらに大きな信号減衰を提供する第３の光信号減衰器４７で構成される。特定の一実施形態において、第１の光信号減衰器、第２の光信号減衰器、および第３の光信号減衰器４３、４５、および４７は、第１の受信ファイバ、第２の受信ファイバおよび第３の受信ファイバ４２、４４、および４６の端子端部を光減衰コーティング剤で選択的に処理することによって形成されることができ、所望の光信号の減衰度を達成する。あるいは、光信号減衰器４３、４５、および４７は、受信ファイバ４２、４４および４６の端子端部に、着脱可能に接続されてもよい。図３には、第１の光信号減衰器、第２の光信号減衰器、および第３の光信号減衰器４３、４５および４７を受
容する３つの光ファイバが示されているが、３つ未満の、または３つを超える受容ファイバが、光信号減衰器で構成されてもよいことが、理解される。
【００１６】
図４は、本発明の別の実施形態による、図１の光ファイバスプリッタアセンブリ１２で使用されることのできる、凹状の光反射器５０の平面図である。凹状の光反射器５０は、第１の光学反射率を提供する第１の反射部分５２と、第１の光学反射率よりも小さな第２の光学反射率を提供する第２の反射部分５４とを含む。第２の反射部分５４は、選択された受信ファイバ１６（図１に示す）に一般に少ない光エネルギを反射するように、反射器５０に適切に位置決めされている。したがって、第２の反射部分５４から向けられ、選択された受信ファイバ１６の方に向けられている反射信号２８（図１にも示す）が、一般に、第１の反射部分５２からの反射信号を受信するファイバ１６によって受信された照射と比較すると減少したレベルで、受信ファイバ１６を照射する。図４には単一の反射部分５４が示されているが、異なる反射率を有するさらなる反射部分もまた、凹状の光反射器５０に位置決めされてもよい。
【００１７】
図５は、本発明のさらに別の実施形態による、光ファイバ伝送路に伝達された光信号を分布させる方法６０を説明するために使用されるフローチャートである。ブロック６２で、凹状の光反射器に隣接して光ファイバ束を位置決めする。凹状の光反射器は、光ファイバ束内の送信ファイバの対称軸（光ファイバ束自体の対称軸と一致していてもよい）に沿って、全体として位置決めされ、光ファイバの面部分から所定の距離だけ間隔を置いて配置される。ブロック６４で、光信号を光ファイバ束の選択された送信ファイバに伝送する。この光信号は、前述のように、変調された光信号であってもよく、または、この光信号は、変調されていない光信号であってもよい。特定の一実施形態では、選択された送信ファイバは、光ファイバ束の中央に配置されたファイバである。ブロック６６で、光信号を凹状の光反射器上に投射する。ブロック６８で、光信号を反射器から反射させるので、光ファイバ束にある１つ以上の受信ファイバが、反射された光エネルギによって照射される。したがって、光信号が１つ以上の受信ファイバに分布する。ブロック７０で、分布した光信号を受信器に伝送する。光信号が変調されていると、この光信号は適切に検出され、受信器によって復調されてもよい。
【００１８】
本発明による方法と装置の実施形態は、多種多様な異なるシステムに組み込まれることができる。次に図６を詳細に参照する。本発明の開示された１つ以上の実施形態を有する航空機３００の側面図が、示されている。航空機３００は、一般に関連技術において知られていている種々の構成要素およびサブシステムを含むが、これらは簡潔さのために詳細に記載しないものとする。たとえば、航空機３００は、一般に、翼アセンブリ３０４に連結されているか、あるいは、胴体３０６または航空機３００のさらに他の部分に連結されている、１つ以上の推進装置３０２を含む。さらに、航空機３００はまた、尾翼３０８および胴体３０６に連結している着陸アセンブリ３１０と、飛行制御システム３１２（図６に示さず）、ならびに、航空機３００の操作のために必要な種々のタスクを協働して行う、複数の他の電気的システム、機械的システム、および電気機械的システムを含む。
【００１９】
さらに図６を参照する。航空機３００は、本発明による光信号分布システム３１４の実施形態のうちの１つ以上を含んでもよく、これらは、航空機３００のさまざまな部分に組み込まれてもよい。たとえば、さまざまな開示された実施形態が、飛行制御システム３１４、航空機監視システム、照射システム、または航空機３００の他のいかなる所望部分において使用されてもよい。
【００２０】
航空機３００は一般に、商業的旅客機を代表するものであり、これには、たとえば、イリノイ州シカゴのボーイング社（Ｔｈｅ  Ｂｏｅｉｎｇ  Ｃｏｍｐａｎｙ  ｏｆ  Ｃｈｉｃａｇｏ，ＩＬ）から入手可能な、７３７、７４７、７５７、７６７および７７７の商業
的旅客機が含まれていてもよい。代替実施形態において、本発明は、他のタイプの飛行体に組み込まれてもよい。英国サリー州コールズドンのジェーンズインフォメーショングループ（Ｊａｎｅ’ｓ  Ｉｎｆｏｒｍａｔｉｏｎ  Ｇｒｏｕｐ，Ｌｔｄ．ｏｆ  Ｃｏｕｌｓｄｏｎ，Ｓｕｒｒｅｙ，ＵＫ）から入手可能な、ジェーン世界航空機年鑑（Ｊａｎｅ’ｓ
Ａｌｌ  Ｔｈｅ  Ｗｏｒｌｄ’ｓ  Ａｉｒｃｒａｆｔ）等の、種々な記述書籍においてより十分に図示されるように、このような飛行体の例には、有人軍用機や無人軍用機、回転翼航空機、さらには弾道飛行体を含めることができる。
【００２１】
本発明の好適で代替の実施形態を上記のように図示し説明してきたが、本発明の精神および範囲から逸脱することなく多くの変更がなされ得る。したがって、本発明の範囲は、これらの好適で代替の実施形態の開示によって制限されるものではない。むしろ、後続の特許請求の範囲を参照することによって、本発明を完全に特定されたい。
【図面の簡単な説明】
【００２２】
【図１】本発明の一実施形態による、光ファイバ伝達システムの部分等角図である。
【図２】光ファイバスプリッタアセンブリの光ファイバ束の、図１の軸２−２に沿って見た平面図である。
【図３】本発明の別の実施形態による、光ファイバスプリッタアセンブリの部分等角図である。
【図４】本発明の別の実施形態による、図１の光ファイバスプリッタアセンブリで使用されることのできる凹状の光反射器の平面図である。
【図５】本発明のさらに別の実施形態による、光ファイバ伝送路に伝達された光信号を分布させる方法を記載したフローチャートである。
【図６】本発明の開示された実施形態のうちの１つ以上を有する航空機の側面図である。
【図２】
2009505135.tif 000003
【図３】
2009505135.tif 000004
【図４】
2009505135.tif 000005
【図６】
2009505135.tif 000006
【図１】
2009505135.tif 000007
【図５】
2009505135.tif 000008
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
光ファイバ伝達システムであって、
光信号を伝送するよう動作可能な送信器と、
光信号を受信するよう動作可能な少なくとも１つの受信器と、
凹状の光反射器および光ファイバ束を含む光ファイバスプリッタアセンブリであって、前記光ファイバ束が、前記送信器に接続されている第１の光ファイバ、および、前記第１の光ファイバに隣接していて少なくとも１つの受信器に接続されている１つ以上の第２の光ファイバを含む、光ファイバスプリッタアセンブリであって、前記第１の光ファイバおよび前記１つ以上の第２の光ファイバのそれぞれの端子端部が、前記凹状の光反射器から間隔を置いて配置されており、前記凹状の光反射器が、前記第１の光ファイバからの光信号を受信し、かつ前記１つ以上の第２の光ファイバに向かって前記光信号を反射するよう動作可能である、光ファイバスプリッタアセンブリと、
を備える、光ファイバ伝達システム。
【請求項２】
前記凹状の光反射器が焦点距離をさらに含み、前記第１の光ファイバが前記焦点距離に近接して位置決めされている、請求項１に記載のシステム。
【請求項３】
前記光ファイバ束が対称軸を備え、前記第１の光ファイバの前記端子端部がほぼ前記対称軸に沿って配置されており、かつ、前記光ファイバ束が、前記第１の光ファイバおよび前記１つ以上の第２の光ファイバの密集した構成をさらに備える、請求項１に記載のシステム。
【請求項４】
前記１つ以上の第２の光ファイバの前記端子端部のうちの少なくともいくつかが、光信号減衰器をさらに備える、請求項１に記載のシステム。
【請求項５】
前記凹状の光反射器が、第１の光学反射率を有する第１の反射部分と、第２の光学反射率を有する第２の反射部分とを含み、前記第１の光学反射率が前記第２の光学反射率と異なる、請求項１に記載のシステム。
【請求項６】
前記送信器が、変調された光信号を生成するよう動作可能であり、前記受信器が、前記変調された光信号を復調するように構成されている、請求項１に記載のシステム。
【請求項７】
光ファイバ伝送路に伝達された信号を分布させるため方法であって、
凹状の光反射器に隣接して光ファイバ束を位置決めすることであって、前記光ファイバ束が第１の光ファイバおよび少なくとも１つの第２の光ファイバを備えている、光ファイバ束を位置決めすることと、
光信号を前記光ファイバ束の前記第１の光ファイバに伝送することと、
前記光信号を前記凹状の光反射器上に投射することと、
前記光信号を前記凹状の光反射器から反射させ、前記少なくとも１つの第２の光ファイバのうちの少なくとも一部分に反射させることと、
を備える、方法。
【請求項８】
凹状の光反射器に隣接して光ファイバ束を位置決めすることが、前記光ファイバ束の端子端部に対して焦点距離だけ間隔を置いて前記凹状の光反射器を配置することをさらに備える、請求項７に記載の方法。
【請求項９】
光信号を前記第１の光ファイバに伝送することが、変調された光信号を前記第１の光ファイバに伝達することをさらに備える、請求項７に記載の方法。
【請求項１０】
変調された光信号を前記第１の光ファイバに伝達することが、適切に構成された受信器を使用して前記変調された光信号を復調することをさらに備える、請求項９に記載の方法。
【請求項１１】
前記光信号を前記凹状の光反射器上に投射することが、第１の反射率を有する第１の反射部分に前記光信号の第１の部分を投射することと、第２の反射率を有する第２の反射部分に前記光信号の第２の部分を投射することとをさらに備え、前記第１の反射率が前記第２の反射率と異なる、請求項７に記載の方法。
【請求項１２】
前記凹状の光反射器から反射された前記光信号を選択的に減衰することをさらに備える、請求項７に記載の方法。
【請求項１３】
前記凹状の光反射器に隣接して光ファイバ束を位置決めすることが、密集したファイバの構成を有する光ファイバ束を前記凹状の光反射器に隣接して位置決めすることをさらに備える、請求項７に記載の方法。
【請求項１４】
航空宇宙ビークルであって、
胴体と、
前記胴体に操作可能に連結されている翼アセンブリおよび尾翼と、
前記胴体、前記翼アセンブリ、および前記尾翼のうちの少なくとも１つに位置決めされている光ファイバ伝達システムであって、前記システムが、
光信号を伝送するよう動作可能な送信器と、
光信号を受信するよう動作可能な少なくとも１つの受信器と、
凹状の光反射器および光ファイバ束を含む光ファイバスプリッタアセンブリであって、前記光ファイバ束が、前記送信器に接続されている第１の光ファイバ、および、前記第１の光ファイバに隣接していて少なくとも１つの受信器に接続されている１つ以上の第２の光ファイバを含む、光ファイバスプリッタアセンブリであって、前記第１の光ファイバおよび前記１つ以上の第２の光ファイバのそれぞれの端子端部が、前記凹状の光反射器から間隔を置いて配置されており、前記凹状の光反射器が、前記第１の光ファイバからの光信号を受信し、かつ前記１つ以上の第２の光ファイバに向かって前記光信号を反射するよう
動作可能である、光ファイバスプリッタアセンブリと、
を備える、光ファイバ伝達システムと、
を備える、航空宇宙ビークル。
【請求項１５】
前記光ファイバ束が対称軸を有し、前記第１の光ファイバの前記端子端部が、ほぼ前記対称軸に沿って配置されている、請求項１４に記載の航空宇宙ビークル。
【請求項１６】
光ファイバスプリッタアセンブリであって、
光反射器と、
送信光ファイバ、および、前記送信光ファイバに隣接している１つ以上の受信光ファイバを含む光ファイバ束であって、前記送信光ファイバおよび前記１つ以上の受信光ファイバのそれぞれの端子端部が、前記送信光ファイバからの伝送された光信号が前記凹状の光反射器から前記１つ以上の受信光ファイバに反射するように、前記光反射器に対してほぼ心合わせされ、かつ動作可能に配置されている、ファイバ束と、
を備える、光ファイバスプリッタアセンブリ。
【請求項１７】
前記受信光ファイバのそれぞれが受信端子端部を含み、前記送信光ファイバが送信端子端部を含み、前記受信端子端部および前記送信端子端部が、ほぼ同一平面上にある、請求項１６に記載のアセンブリ。
【請求項１８】
前記光ファイバ束が対称軸を有し、前記送信光ファイバの前記端子端部が、ほぼ前記対称軸に沿って配置されている、請求項１６に記載のアセンブリ。
【国際調査報告】
2009505135.tif 000009
2009505135.tif 000010